(57)【要約】      （修正有）【課題】バリを除去して横振れを押さえ、切り屑の排除が容易になり、軟質材の切断作業においては急激な食い込みを抑制して安定した定速切断作業が可能となりチップ体の磨耗を防いで切り味が長く持続する。【解決手段】円板状基板１１の外周部に配列された歯形部１３の後方部を、回転方向に対して角度を有する形状の歯形部１３ａ、１３ｂとすることで、チップ体１２を切り屑や石などの障害物から遠ざけて磨耗や破損を防ぐ、また３ａ、３ｂが抵抗となって回転中のチップソーの土中や水中への急激な食い込み現象を防ぐ。【選択図】図１
0003102737.tif 000002
【実用新案登録請求の範囲】
【請求項１】
円板状の基板の外周部に、回転方向に対して右または左向に角度を有する歯形部を配列しその前端部にチップ体を付けたチップソー
【考案の詳細な説明】
【技術分野】
【０００１】本考案は快適、安全、長寿命のチップソーを提供するものである。
【背景技術】
【０００２】  従来のチップソーにおいては、作業中の回転による振れの防止やチップの耐久性や破損、脱落などを防止する技術として、チップを配列する基板の厚みを厚くする、チップ体を大きめにする、特殊な材質の基板やチップを採用する、取付けるチップ体の数を多くする、チップ体のロウ付け部を複雑な形状に加工する、基板外周部を不規則配列などの特異形状に加工する、チップソー表面にセラミックなどの特殊表面コーティング処理をする、基板に湾曲形状などの反り加工をする、チップ体の取付け角度を鈍角にするなどの方法が採用されている。【０００３】  また  動力刈払機用チップソーに於いて作業中にチップソー先端が土壌表面に触れた時の急激な食いつき現象や、水面接触時の急激な水中への引き込み現象を防ぐ技術は見当たらない。【０００４】  さらに、図４の如くチップ体２の刃先の中央部より左側端部２ｂ，２ｂより右側端部２ａが極端に破損偏磨耗することを防ぐ技術は見当たらない。
【考案の開示】
【考案が解決しようとする課題】
【０００５】  従来のチップソーの耐久性向上と脱落防止の技術では高価な割にその効果が不充分、チップソーの重量が重くなり作業性が悪くなる、刃物としての切れ味が低下する、材料コストや加工コストが上がる、再研磨が困難な形状になる欠点がある。【０００６】  さらに同一平面状の基板と歯形部を採用しているため草刈作業中の高速回転しているチップソー基板の外周部や歯形部がわずかでも土壌表面や水面に触れてしまうとその部分の基板や歯形部の両側面に大きな密着摩擦力が起こることによる急激な食い付き現象が起こってチップ体にダメージを与え、時には横走り現象により作業者に危険を及ぼす、などの欠点があったため本考案はこれを解決するためのものである。
【課題を解決するための手段】
【０００７】  本考案のチップソーは円板状の基板の外周部に、回転方向に対して右または左に角度を有する歯形部を配列しその前方部にチップ体を付けて構成する。
【考案の効果】
【０００８】  当考案のチップソーの効果を図において説明すると１３ａ、１３ｂ、２３ａ、３３ａにより、切削回転時にチップ体１２、２２、３２の周辺の切り屑や障害物が基板の回転中心方向へ排除され、材料の切断作業においては切断面を歯形部がなぞりながら回転することでバリを除去して横振れを押さえ、切り屑の排出が容易になり、軟質材の切断作業においては急激な食い込みを抑制して安定した定速切断作業が可能となりチップ体の磨耗を防いで切れ味が長く持続する。【０００９】  また、動力刈払機作業においては悪条件下での作業が多くあり、チップソーに過酷な条件となる地表面に金網が設置してある場合や地表面ぎりぎりの刈払い作業では、回転方向に対して角度がついた歯形部が回転することで、基板の両面に回転中心を軸とする渦巻き現象が起こることにより、これまで外に逃げて刈取しにくかった柔らかい草に対しチップソーの歯形部方向へさそいこむ空気の流れが起こり、同時に金網や石などの障害物からチップ体を遠ざけて保護すると共に歯形部が金網や土壌表面に触れた時に起こる急激な食いつき現象を防ぐ。【００１０】  さらに水際の刈払作業の際にも歯形部が水面に触れた時の急激な引きこみ現象を防いで作業能率が上り地中や水中に隠れた石などの障害物からチップ体を保護して耐久性向上と、チップ体の脱落飛散やチップソーの横走り現象を防止して、作業者や周囲の人や物への危険防止効果が得られる。【００１１】  実施例２、実施例３のチップソーを動力刈払機に用いた場合には、チップソーの回転により浮力が生じる効果もあり、見かけの重さが軽くなるので作業者の疲労が軽減する。【００１２】  その単純な形状の歯形部は再研磨ができるので繰り返し使用が可能となり経済的である。【００１３】  また、当考案を採用するに当り、従来の耐久性向上技術を併用することも可能であり、相乗効果が期待できる。【００１４】  さらに、当考案は実施するに当り、特殊な加工行程も追加する材料も必要としないので安価な製品化が可能となる。
【考案を実施するための最良の形態】
【００１５】  円板状の基板の外周部に、回転方向に対して適当な角度を有する適正数の歯形部を配列してその前端部に同数のチップ体を付けることにより、切断作業中のチップ体の刃先前端部や側面部を切屑や障害物から保護する構造とする。
【実施例１】
【００１６】  本考案のチップソーを図において説明すると、図１で示されるとおり、矢印方向に回転するチップソーの円板状の基板１１の外周部に回転方向に対して、後方部に右向き又は左向きに、チップ体１２の刃先両側端部１２ａ，１２ｂの周回回転円よりはみ出ない範囲での角度を付けた歯形部１３を配置してその前端部にチップ体１２をつけチップ体１２の刃先右側端部１２ａに対して先行して保護する歯形部１３の後方右側端部１３ａ、１２ｂに先行して保護する１３ｂを構成する
【実施例２】
【００１７】  図２の如く、円板状の基板２１の外周部に矢印の回転方向に対して、右向きに、チップ体２２の刃先右側端部２２ａに先行してこれを保護するために、２２ａの周回回転円よりはみ出ない範囲で右に角度をつけた歯形部の後方右側端２３ａを配置するよう構成したチップソー。
【実施例３】
【００１８】  図３の如く、円板状の基板３１の外周部に矢印の回転方向に対して、右向きに、チップ体３２の刃先右側端部３２ａに先行してこれを保護するために、３２ａの周回回転円よりも大きく右に角度を付けた歯形部の後方右側端３３ａを配置するよう構成したチップソー。
【図面の簡単な説明】
【００１９】
【図１】実施例１のチップソーの平面図、平面拡大図、歯形部３のＡ方向の拡大正面図
【図２】実施例２の拡大正面図
【図３】実施例３の拡大正面図
【図４】従来の刈払機用チップソーの拡大正面図
【符号の説明】
【００２０】１１、２１、３１は本考案のチップソーの円板状の基板
１２、２２、３２は本考案のチップソーのチップ体
１３、３３は本考案のチップソーの歯形部
１２ａ、２２ａ、３２ａは本考案のチップソーのチップ体の刃先右側端部
１２ｂは本考案のチップソーのチップ体の刃先左側端部
１３ａ、２３ａ、３３ａは本考案のチップソーの歯形部の後方右側端部
１３ｂは本考案のチップソーの歯形部の後方左側端部
１は従来型の刈払機用チップソーの円盤状の平面基板
２は従来型の刈払機用チップソーの作業中の偏磨耗したチップ体
２ａは従来型の刈払機用チップソーにおける破損偏磨耗したチップ体２の刃先右側端部
２ｂは従来型の刈払機用チップソーにおける偏磨耗をしたチップ体２の刃先左側端部
４は石、ブロックなど地表面の障害物
【図１】
0003102737.tif 000003
【図２】
0003102737.tif 000004
【図３】
0003102737.tif 000005
【図４】
0003102737.tif 000006